(57)【要約】【課題】本発明の目的は、効率的に封緘できる封書用シートを提供することにある。【解決手段】封書用シート１０は、粘着剤層１２を有する粘着シート１１の上に、剥離シート１３が重ね合わされてなる。この剥離シート１３に所定事項を印刷し、第１の領域１５の剥離シート１１をスリット１８Ａ、１８Ｂにしたがって剥離して帯状に粘着剤層１２を露出させ、折り目１４に沿って、第１の領域１５の上に第２の領域１６を折り重ねて、第１の領域１５と第２の領域１６とを粘着剤層１２によって貼着し、両端が開口した未封緘封書２１を作製する。粘着シート１１には、未封緘封書２１の開口部３０Ａ、３０Ｂを封緘するための一対の封緘シール２０Ａ、２０Ｂが切り離し可能に形成されており、この封緘シール２０Ａ、２０Ｂを未封緘封書２１の開口部３０Ａ、３０Ｂに貼着することにより、１枚の封書用シート１０から容易に封書２２を作成できる。【選択図】  図１
2004306423.tif 000002
【特許請求の範囲】
【請求項１】
全面に粘着剤層を有する粘着シートと、その粘着剤層の全域を覆うように重ね合わされた剥離シートとからなり、前記剥離シートが内側となるように折り畳むことにより封緘可能に構成される封書用シートであって、
前記剥離シートを内側にして谷折りするための折り目によってそのシートの全体が少なくとも第１及び第２の２つの領域に区分され、
剥離シートには、前記第１の領域のうち前記折り目とは反対側の端縁部から所定寸法離れた位置又は前記第２の領域のうち前記折り目とは反対側の端縁部に、前記折り目と平行に延びる帯状の剥離部が切り離し可能に形成され、この剥離部を除去することで前記粘着層を帯状に露出させて、前記折り目によって第２の領域を前記第１の領域に重ねるように谷折りしたときに前記露出した粘着層が前記第２の領域の所定位置に粘着して両端が開口した未封緘封書部が形成されるようになし、
前記粘着シートには、前記第１の領域のうち前記剥離部と前記端縁部との間に位置して前記未封緘封書部の開口部を封緘するための一対の封緘シールが切り離し可能に形成されていることを特徴とする封書用シート。
【請求項２】
前記第１の領域には、前記粘着シート及び前記剥離シートの双方に、前記未封緘封書部を形成しない部分を切り離すための切断可能線が形成されていることを特徴とする請求項１記載の封書用シート。
【請求項３】
前記第２の領域には、そのほぼ中央部に前記剥離シートを内側にして谷折りするための補助折り目が前記折り目と平行に形成されていることを特徴とする請求項１又は２記載の封書用シート。
【請求項４】
前記剥離シート及び粘着シートには、前記封緘シールが貼着される領域の内側に位置して切断可能線が前記折り目と直行する方向に形成されていることを特徴とする請求項１ないし３のいずれかに記載の封書用シート。
【請求項５】
前記剥離シートには、前記封緘シールの形成部分に対応して前記第１の領域の端縁部と平行にスリットが形成されていることを特徴とする請求項１ないし４のいずれかに記載の封書用シート。
【発明の詳細な説明】
【０００１】
【発明の属する技術分野】
本発明は、封書用シートに関する。
【０００２】
【従来の技術】
近年、各種の事務処理がコンピュータで行われるようになるに従い、伝票もコンピュータで処理され、レーザープリンタを使用することが一般的になってきた。
【０００３】
そこで、レーザープリンタで印刷したシートを折り曲げ加工することにより封筒型伝票を作製可能な単票用紙１が提案されている（特許文献１参照）。これは、全面に粘着剤層を有する粘着シートと、その粘着剤層の全域を覆うように重ね合わされた剥離シートとからなる単票用紙１であって、この単票用紙１の剥離シート側に印字するものである（図２３参照）。この単票用紙１の中央よりやや下方には用紙を谷折りするための折り目線２が設けられ、その折り目線２よりも下方の領域には外周の三辺をコ字形に連ねた糊代３が設けられ、この糊代３の部分と印字面との境界には剥離シートのみを切断したスリット６が設けられている。印字された単票用紙１は、折り目線２にしたがって印字面を内側にして上下二つ折りにされ、糊代３部分の剥離シートを剥がして露出させた粘着剤により接着され、封緘される。
【０００４】
【特許文献１】
特開平１０−３５１４６号公報
【０００５】
【発明が解決しようとする課題】
しかし上記の構成では、剥離シートがコ字状に折れ曲がっているため、剥離シートを剥離する際、上記の折れ曲がり部分に応力が集中する。このため剥離シートを安易に剥離しようとすると折れ曲がり部分で剥離シートが破れてしまうことがある。剥離シートが破れると、破れた部分から再び剥離シートを粘着シートから剥離しなければならなくなるため手間がかかる。他方で、剥離シートが破れないよう慎重に剥離しようとすれば、この場合も手間がかかる。
【０００６】
また、上記の構成では、封書用シートを二つ折りにして封緘する際、折り目線と直交する辺の端縁部に粘着剤が露出しているので、この端縁部を揃えて折り曲げようとすると指先に粘着剤が付着してしまうことがある。他方で、指先に粘着剤が付着しないようにしつつ端縁部を揃えて封緘しようとすれば手間がかかる。
【０００７】
本発明は上記事情に鑑みてなされたものであって、その目的は、効率的に封緘できる封書用シートを提供することにある。
【０００８】
【課題を解決するための手段】
上記の目的を達成するための手段として、請求項１の発明は、全面に粘着剤層を有する粘着シートと、その粘着剤層の全域を覆うように重ね合わされた剥離シートとからなり、前記剥離シートが内側となるように折り畳むことにより封緘可能に構成される封書用シートであって、前記剥離シートを内側にして谷折りするための折り目によってそのシートの全体が少なくとも第１及び第２の２つの領域に区分され、剥離シートには、前記第１の領域のうち前記折り目とは反対側の端縁部から所定寸法離れた位置又は前記第２の領域のうち前記折り目とは反対側の端縁部に、前記折り目と平行に延びる帯状の剥離部が切り離し可能に形成され、この剥離部を除去することで前記粘着層を帯状に露出させて、前記折り目によって第２の領域を前記第１の領域に重ねるように谷折りしたときに前記露出した粘着層が前記第２の領域の所定位置に粘着して両端が開口した未封緘封書部が形成されるようになし、前記粘着シートには、前記第１の領域のうち前記剥離部と前記端縁部との間に位置して前記未封緘封書部の開口部を封緘するための一対の封緘シールが切り離し可能に形成されていることを特徴とする。
【０００９】
請求項２の発明は、請求項１に記載のものにおいて、前記第１の領域には、前記粘着シート及び前記剥離シートの双方に、前記未封緘封書部を形成しない部分を切り離すための切断可能線が形成されていることを特徴とする。
【００１０】
請求項３の発明は、請求項１または請求項２に記載のものにおいて、前記第２の領域には、そのほぼ中央部に前記剥離シートを内側にして谷折りするための補助折り目が前記折り目と平行に形成されていることを特徴とする。
【００１１】
請求項４の発明は、請求項１ないし請求項３のいずれかに記載のものにおいて、前記剥離シート及び粘着シートには、前記封緘シールが貼着される領域の内側に位置して切断可能線が前記折り目と直行する方向に形成されていることを特徴とする。
【００１２】
請求項５の発明は、請求項１ないし請求項４のいずれかに記載のものにおいて、前記剥離シートには、前記封緘シールの形成部分に対応して前記第１の領域の端縁部と平行にスリットが形成されていることを特徴とする。
【００１３】
【発明の作用及び効果】
＜請求項１の発明＞
請求項１の発明によれば、第２の領域を折り目に沿って第１の領域に重ね、第１の領域と第２の領域とを帯状に露出する粘着剤層により貼り付けた後、封緘シールで開口部を封緘することによって、剥離シートが内側となるように折り畳まれた封書を作成できる。このようにして、１枚の封書用シートから封書を容易に作成することができる。
【００１４】
剥離シートは帯状に形成されているので、剥離する際に応力が特に集中する部分がない。このため、剥離シートを破ることなく容易に剥離シートを剥離できるから効率的に封書用シートを貼着できる。
【００１５】
また、折れ目と直交する辺の端縁部には粘着剤は露出していないので、指に粘着剤を付着させることなく、効率的に端縁部を揃えて貼着できる。
【００１６】
＜請求項２の発明＞
請求項２の発明によれば、切断可能線に沿って切り離すことにより、未封緘部分を形成しない部分を容易に除去することができる。この切断可能線が形成される位置を調整することにより、作成された封筒が郵便法に基づく定形郵便物の大きさとなるようにすることができる。定形郵便物は定形外郵便物と比べて郵送料が安いので、郵送コストの削減を図ることができる。
【００１７】
＜請求項３の発明＞
請求項３の発明によれば、補助折り目に沿って第２の領域を剥離シートを内側にして谷折りにし、これを折り目に沿って第１の領域と折り重ねて三つ折りにすることにより、封書を作製できる。このとき、情報を記載できる領域は、封書用シートを二つ折りにする場合と三つ折りにする場合とで異ならない。このため、封書用シートを二つ折りにする場合と比べて、記載された情報量は等しいにも拘わらずより小型の封書を作製できる。
【００１８】
＜請求項４の発明＞
請求項４の発明によれば、まず、封緘シールによって貼着された部分を切断可能線にしたがって切除することにより、封書の両端を容易に開口させて未封緘封書とすることができる。この未封緘封書を展開するには、未封緘封書を折り目に沿って切り開けばよいので容易に封書を開封できる。
【００１９】
＜請求項５の発明＞
請求項５の発明によれば、まず、剥離シートに形成されたスリットにしたがって剥離シートを剥離すると、封緘シールの粘着剤層が一部露出する。次に、この封緘シールのうち、剥離シートが残存している部分を持ちながら、露出した粘着剤層を未封緘封書部の開口部の端縁に貼着する。その後、剥離シートの残部を剥離し、露出した粘着剤層で開口部を封着する。このようにすることで、粘着剤層を指に付着させることなく、封緘シールによって封書用シートを効率的に封緘できる。
【００２０】
【発明の実施の形態】
以下、本発明の実施形態を添付図面に基づいて説明する。
＜第１実施形態＞
本発明の第１実施形態を図１ないし図６によって説明する。
まず、図１によって封書用シート１０の構成について説明する。Ａ４サイズの矩形状の粘着シート１１には粘着剤が全面にわたって塗布されて粘着剤層１２が形成されている。この粘着剤層１２の全域を覆うように矩形状の剥離シート１３が粘着シート１１に重ね合わされ、両者が一体となって一枚の封書用シート１０が構成されている。この封書用シート１０を構成する剥離シート１３及び粘着シート１１の双方には、封書用シート１０の短辺に平行に形成されたミシン目１７によって折り目１４が形成されている。この折り目１４によって封書用シート１０は、矩形状をなす封筒裏側紙片１５（請求項１における第１の領域）と、封筒表側紙片１６（請求項１における、第２の領域）とに区分されている。
【００２１】
剥離シート１３及び粘着シート１１の双方には、封書用シート１０の長辺側の両側端に、それぞれの端縁部から所定寸法Ｌ１だけ離れて、ミシン目１９Ａ、１９Ｂ（請求項４における、切断可能線）が折り目１４と直交して形成されている。
【００２２】
剥離シート１３には、封筒裏側紙片１５のうち折り目１４とは反対側の端縁部から所定寸法Ｌ２だけ離れた位置に折り目１４と平行にスリット１８Ａが形成されており、このスリット１８Ａと平行に、スリット１８Ａに対して折り目１４と同じ側にスリット１８Ｂが形成されている。これらスリット１８Ａ、及びスリット１８Ｂにより帯状の剥離部１８が切り離し可能に形成されている。スリット１８Ａによって封筒裏側紙片１５は、折り目１４とは反対側に位置する宛名情報記載部１５Ａと、折り目１４の側に位置する被封緘部１５Ｂとに区分されている。
【００２３】
折り目１４は、封書用シート１０の長辺の長さＬからＬ２を引いた長さを二等分する位置に形成されている。このため、被封緘部１５Ｂの短辺の長さＬ３と、封筒表側紙片１６の短辺の長さＬ４とは、ともに（Ｌ−Ｌ２）／２になっている。
【００２４】
粘着シート１１には、宛名情報記載部１５Ａに位置して、一対の矩形状をなす封緘シール２０Ａ、２０Ｂが上下二段に並んで、スリット２０Ｃにより切り離し可能に形成されている。この封緘シール２０Ａ、２０Ｂの短辺の長さＬ５は、Ｌ１の２倍を超えないように形成されている。また、封緘シール２０Ａ、２０Ｂの長辺の長さＬ６は、（Ｌ−Ｌ２）／２を超えないように形成されている（図３参照）。
【００２５】
次に、封書用シート１０を用いた封書２２の作成方法について説明する。
宛名情報記載部１５Ａの剥離シート１３上には、書類名、宛名、日付などの情報をレーザープリンタにより印刷する。一方、被封緘部１５Ｂの剥離シート１３上には、封書２２の名宛人に対して送付すべき秘密性のある情報をレーザープリンタにより印刷する。また、封筒表側紙片１６の剥離シート１３上にも、封書２２の名宛人に対して送付すべき秘密性のある情報をレーザープリンタにより印刷する。
【００２６】
剥離部１８を剥離して粘着剤層１２を露出させる。封書用シート１０を、折り目１４にしたがって剥離シート１３に印刷した印字面が内側になるように谷折りにし、封筒裏側紙片１５と封筒表側紙片１６とを折り重ねる。先に露出させた粘着剤層１２により、封筒裏側紙片１５と封筒表側紙片１６とを貼着して、両端が開口した未封緘封書２１を作製する（図２参照）。
【００２７】
封書用シート１０を裏返し、封緘シール２０Ａ、２０Ｂを剥離シート１３から剥離する（図３参照）。
【００２８】
剥離した封緘シール２０Ａ、２０Ｂを、その長手方向を軸にほぼ線対称になるように折り曲げ、未封緘封書２１の一対の開口部３０Ａ、３０Ｂにそれぞれ貼着する。このとき、封緘シール２０Ａ、２０Ｂはそれぞれ、ミシン目１９Ａ、１９Ｂの上には重ならないように貼着する。すると、封緘シール２０Ａ、２０Ｂの短辺の長さＬ５はＬ１の２倍を超えないように形成されているので、ミシン目１９Ａ、１９Ｂは、封緘シール２０Ａ、２０Ｂにより封着された部位よりも内側に位置するように構成される。このようにして、封書用シート１０を封緘して封書２２を作製する（図４、５参照）。
【００２９】
封書の開封方法を図５、６によって説明する。
上述したとおり、ミシン目１９Ａ、１９Ｂは、封緘シール２０Ａ、２０Ｂにより封着された部位よりも内側に位置するように構成されている。このため、ミシン目１９Ａ、１９Ｂを切り取ることにより、封筒裏側紙片１５と封筒表側紙片１６とが封緘された部分を容易に除去できる。すると封書２２は両端の開口した状態になる。次に、ミシン目１７を切り開くことにより封書２２は展開され、被封緘部１５Ｂ、及び封筒表側紙片１６に印刷された情報を視認することができる。
【００３０】
＜第２実施形態＞
次に、本発明の第２実施形態を図７によって説明する。
前記第１実施形態においては、封筒裏側紙片１５に形成されたスリット１８Ａ、１８Ｂによって剥離部１８が形成されているが、第２実施形態においては、封筒表側紙片１６のうち折り目１４とは反対側の端縁部に折り目１４と平行にスリット１８Ｃが形成されており、このスリット１８Ｃによって帯状の剥離部１８が切り離し可能に形成されている。
【００３１】
また、第１実施形態においては、宛名情報記載部１５Ａと被封緘部１５Ｂとはスリット１８Ａで区分されているが、第２実施形態においては、宛名情報記載部１５Ａは、封筒裏側紙片１５のうち、折り目１４にしたがって剥離シート１３に印刷した印字面が内側になるように谷折りにした際に封筒表側紙片１６と重ならない部分として区分される。同様に、被封緘部１５Ｂは、封筒裏側紙片１５のうち、折り目１４にしたがって剥離シート１３に印刷した印字面が内側になるように谷折りにした際に封筒表側紙片１６と重なる部分として区分される。
【００３２】
折り目１４は、封書用シート１０の長辺の長さＬから宛名情報記載部１５Ａの短辺の長さＬ７を引いた長さを二等分する位置に形成されている。このため、被封緘部１５Ｂの短辺の長さＬ３と、封筒表側紙片１６の短辺の長さＬ４とは、ともに（Ｌ−Ｌ７）／２になっている。
【００３３】
上記の他は第１実施形態と同様の構成であるので、第１実施形態と同一部分については同一符号を付して重複する説明を省略する。
【００３４】
第２実施形態においては、封書２２の作製方法、及び開封方法について第１実施形態と異ならないので、説明を省略する。
【００３５】
＜第３実施形態＞
次に、本発明の第３実施形態を図８ないし図１３によって説明する。
第３実施形態においては、第１実施形態と異なり、封筒表側紙片１６のほぼ中央部に、剥離シート１３を内側にして谷折りするための補助折り目１４Ａが折り目１４と平行に形成されている。この補助折り目１４Ａにより、封筒表側紙片１６は、第１の封筒表側紙片１６Ａと、第２の封筒表側紙片１６Ｂとに区分される。補助折り目１４Ａが封筒表側紙片１６の略中央部に形成されているので、第１の封筒表側紙片１６Ａの短辺の長さＬ８と、第２の封筒表側紙片１６Ｂの短辺の長さＬ９とは、ほぼ等しい長さに形成されている。
【００３６】
第１実施形態においては、Ｌ３とＬ４とが、ともに（Ｌ−Ｌ２）／２の長さに形成されていたが、第３実施形態においては、Ｌ３と、Ｌ８及びＬ９とが、（Ｌ−Ｌ２）／２の長さに形成されている。
【００３７】
第３実施形態においては、第１実施形態と異なり、粘着シート１１には、スリット１８Ａと重なってミシン目２３（請求項２における、切断可能線）が形成されている（図９参照）。
【００３８】
また、第１実施形態では、封緘シール２０Ａ、２０Ｂは、上下二段に並んで形成されていたが、第３実施形態では、宛名情報記載部１５Ａに位置して、一対の矩形状をなす封緘シール２０Ａ、２０Ｂは、左右に並んで切り離し可能に形成されている（図１１参照）。
【００３９】
この他は第１実施形態の構成と異ならないので、第１実施形態と同一部分については同一符号を付して重複する説明を省略する。
【００４０】
第３実施形態では、以下のようにして封書２２を作製する。
剥離部１８を剥離して粘着剤層１２を露出させる。補助折り目１４Ａにしたがって、封筒表側紙片１６を剥離シートに印刷した印字面が内側になるように谷折りにする（図９参照）。更に折り目１４にしたがって、封筒裏側紙片１５と封筒表側紙片１６とを、封筒裏側紙片１５に印刷された印字面が内側になるように折り重ねて三つ折りにする（図１０参照）。先に露出させた粘着剤層１２により、封筒裏側紙片１５と封筒表側紙片１６とを貼着して、両端が開口した未封緘封書２１を作製する。
【００４１】
封書用シート１０を裏返し、封緘シール２０Ａ、２０Ｂを剥離シート１３から剥離する（図１１参照）。
【００４２】
剥離した封緘シール２０Ａ、２０Ｂを、その長手方向を軸にほぼ線対称になるように折り曲げ、未封緘封書２１の一対の開口部３０Ａ、３０Ｂにそれぞれ貼着する。このとき、封緘シール２０Ａ、２０Ｂはそれぞれ、ミシン目１９Ａ、１９Ｂの上には重ならないように貼着する。すると、封緘シール２０Ａ、２０Ｂの短辺の長さＬ５はＬ１の２倍を超えないように形成されているので、ミシン目１９Ａ、１９Ｂは、封緘シール２０Ａ、２０Ｂにより封着された部位よりも内側に位置するように構成される。このようにして、封書用シート１０を封緘して封書２２を作製する（図１２、１３参照）。
【００４３】
第３実施例においては、封筒裏側紙片１５に形成されたミシン目２３によって宛名情報記載部１５Ａを切除することができる。これにより、封書２２は容易に郵便法における定形郵便物の大きさにすることができる。
【００４４】
上記の他は、第１実施形態における封書２２の作製方法と異ならないので、第１実施形態と同一部分については同一符号を付して重複する説明を省略する。
【００４５】
第３実施形態においては、封書２２の開封方法は第１実施形態と異ならないので説明を省略する。
【００４６】
＜第４実施形態＞
本発明の第４実施形態を図１４ないし２２によって説明する。
第４実施形態においては第３実施形態と異なり、封緘シール２０Ａ、２０Ｂの形成部分と、剥離部１８との間に、封書用シート１０の短辺に平行にミシン目２５が、粘着シート１１及び剥離シート１３の双方に形成されている。このミシン目２５により、宛名情報記載部１５Ａは、宛名情報記載部１５Ｃと、封緘シール形成部１５Ｄとに区分される（図１４、図１６参照）。
【００４７】
第４実施形態においては第３実施形態と異なり、剥離シート１３に、封緘シール２０Ａ、２０Ｂの形成部分に対応して、封書用シート１０の短辺に平行にスリット２４（請求項５における、スリット）が形成されている。このスリット２４により、封緘シール形成部１５Ｄは、第１の封緘シール形成部１５Ｅと、第２の封緘シール形成部１５Ｆとに区分される。
【００４８】
この他は第３実施形態の構成と異ならないので、第３実施形態と同一部分については同一符号を付して重複する説明を省略する。
【００４９】
第４実施形態においては、以下のようにして封書２２を作製する。
まず、第３実施形態と同様にして、両端の開口した未封緘封書部２１を作製する（図１５参照）。
【００５０】
次に、ミシン目２５にしたがって封緘シール形成部１５Ｄを切除する。この封緘シール形成部１５Ｄに位置する粘着シート１１のうち、封緘シール２０Ａ、２０Ｂ以外の部分を剥離する（図１７、図１８参照）。
【００５１】
その後、封緘シール形成部１５Ｄに形成されたスリット２４にしたがって、第１の封緘シール形成部１５Ｆの剥離シート１３のうち、封緘シール２０Ａと貼着されている部分のみ剥離する。すると、封緘シール２０Ａの粘着剤層１２が露出する。第２の封緘シール形成部１５Ｅを持ちながら、一方の封緘シール２０Ａの粘着剤層１２を未封緘封書部２１の一方の開口部３０Ａの封筒表側紙片１６に貼着する。その後、封緘シール２０Ａを剥離シート１３から剥離する（図２０参照）。すると、封緘シール２０Ａの粘着剤層１２が露出する。露出した粘着剤層１２を開口部３０Ａの封筒裏側紙片１５に貼着することにより、この開口部３０Ａを封着する（図２１参照）。
【００５２】
そして、封緘シール形成部１５Ｄの剥離シート１３に形成されたスリット２４にしたがって、第１の封緘シール形成部１５Ｅの剥離シート１３のうち、封緘シール２０Ｂと貼着されている部分を剥離する。第２の封緘シール形成部１５Ｆを指で持ちながら、他方の封緘シール２０Ｂの粘着剤層１２を未封緘封書部２１の他方の開口部３０Ｂの封筒表側紙片１６に貼着する。その後、封緘シール２０Ｂを剥離シート１３から剥離する。すると、封緘シール２０Ａの粘着剤層１２が露出する。露出した粘着剤層１２を開口部３０Ｂの封筒裏側紙片１５に貼着することにより、この開口部３０Ｂを封着する（図２１参照）。
【００５３】
このようにして、粘着剤層１２を指に付着させることなく、封緘シール２０Ａ、２０Ｂによって封書用シート１０を効率的に封緘できる（図２２参照）。
【００５４】
この他は第三実施形態と異ならないので、第３実施形態と同一部分については同一符号を付して重複する説明を省略する。
【００５５】
第４実施形態においては、封書２２の開封方法は第３実施形態と異ならないので説明を省略する。
【００５６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）第１実施形態においてはレーザープリンタを使用したが、これに限られず、インクジェットプリンタや感熱式プリンタなどのノンインパクトプリンタを使用しても良いし、また、ドットプリンタなどのインパクトプリンタを使用してもよい。
【００５７】
（２）第４実施形態では、未封緘封書２１の開口部３０Ａ、３０Ｂを封着する際、一方の開口部３０Ａから封着したが、これに限られず、他方の開口部３０Ｂから封着してもよい。また、このとき、封緘シール２０Ａ、２０Ｂのうち、封緘シール２０Ａから使用したが、これに限られず、封緘シール２０Ｂから使用してもよい。そして、封緘シール２０Ａ、２０Ｂを封着する際、封筒表側紙片１６から先に貼着したが、これに限られず、封筒裏側紙片１５から貼着してもよい。
【００５８】
（３）上記実施形態では、粘着シート１１には何も印刷していなかったが、粘着シート１１に地紋をプリンタで印刷し、印字内容が外部からは読みとれないようにしてもよい。
【００５９】
（４）上記実施形態では、封書２２内には封書用シート１０からなる紙片以外は封入しなかったが、小銭、封書用シート１０以外の紙片などを封入してもよい。
【図面の簡単な説明】
【図１】第１実施形態の封書用シートの斜視図
【図２】第１実施形態の封書用シートにおいて、剥離部を剥離し、第２の領域を第１の領域に折り重ねようとする状態を示す斜視図
【図３】第１実施形態において、封緘シールを剥離しようとする状態を示す斜視図
【図４】第１実施形態において、未封緘封書部の開口部に封緘シールを貼着して封緘しようとする状態を示す斜視図
【図５】第１実施形態の封書用シートを封緘した状態を示す斜視図
【図６】第１実施形態の封書用シートを封緘した封書において、両側縁部を切り離し、第１の領域と第２の領域とを区分する折り目を切り開くことにより開封する状態を示す斜視図
【図７】第２実施形態の封書用シートの斜視図
【図８】第３実施形態の封書用シートの斜視図
【図９】第３実施形態の封書用シートにおいて、剥離部を剥離し、第２の領域を印字面を内側にして谷折りに折り重ねようとする状態を示す斜視図
【図１０】第３実施形態の封書用シートにおいて、谷折りした第２の領域の上に、更に第１の領域を折り重ねようとする状態を示す斜視図
【図１１】第３実施形態において、封緘シールを剥離しようとする状態を示す斜視図
【図１２】第３実施形態において、未封緘封書部の開口部に封緘シールを貼着して封緘しようとする状態を示す斜視図
【図１３】第３実施形態の封書用シートを封緘した状態を示す斜視図
【図１４】第４実施形態の封書用シートの斜視図
【図１５】第４実施形態において、剥離部を剥離し、印字面を内側にして谷折りした第２の領域の上に、更に第１の領域を折り重ねようとする状態を示す斜視図
【図１６】第４実施形態において、封書用シートの裏面の状態を示す斜視図
【図１７】第４実施形態において、未封緘封書部の開口部に封緘シールを貼着して封緘する状態を表す斜視図
【図１８】第４実施形態において、切り離された封緘シール形成部から封緘シール以外の部分を剥離する状態を示す斜視図
【図１９】第４実施形態において、未封緘封書の開口部の一方に封緘シールを貼着しようとする状態を表す斜視図
【図２０】第４実施形態において、未封緘封書の開口部の一方に封緘シールを貼着した状態を表す斜視図
【図２１】第４実施形態において、未封緘封書の開口部の他方に封緘シールを貼着した状態を表す斜視図
【図２２】第４実施形態の封書用シートを封緘した状態を示す斜視図
【図２３】従来例の封書用シートの正面図
【符号の説明】
１０…封書用シート
１１…粘着シート
１２…粘着剤層
１３…剥離シート
１４…折り目
１５…第１の領域
１６…第２の領域
１７…ミシン目
１８…剥離部
１８Ａ、１８Ｂ…スリット
１９Ａ、１９Ｂ…ミシン目
２０Ａ、２０Ｂ…封緘シール
【図１】
2004306423.tif 000003
【図２】
2004306423.tif 000004
【図３】
2004306423.tif 000005
【図４】
2004306423.tif 000006
【図５】
2004306423.tif 000007
【図６】
2004306423.tif 000008
【図７】
2004306423.tif 000009
【図８】
2004306423.tif 000010
【図９】
2004306423.tif 000011
【図１０】
2004306423.tif 000012
【図１１】
2004306423.tif 000013
【図１２】
2004306423.tif 000014
【図１３】
2004306423.tif 000015
【図１４】
2004306423.tif 000016
【図１５】
2004306423.tif 000017
【図１６】
2004306423.tif 000018
【図１７】
2004306423.tif 000019
【図１８】
2004306423.tif 000020
【図１９】
2004306423.tif 000021
【図２０】
2004306423.tif 000022
【図２１】
2004306423.tif 000023
【図２２】
2004306423.tif 000024
【図２３】
2004306423.tif 000025